(57)【特許請求の範囲】
【請求項１】
過去に撮影された被検眼の第１の断層画像と、前記第１の断層画像における撮影サイズである第１の撮影サイズの情報を取得する取得手段と、
前記第１の撮影サイズよりも広い第２の撮影サイズで前記被検眼を撮影する撮影手段と、
前記撮影手段による前記第２の撮影サイズでの撮影に基づいて、前記被検眼の第２の断層画像を生成する生成手段と、
前記第２の断層画像の動画像に、前記第１の撮影サイズの範囲とともに前記第１の撮影サイズの範囲内に前記第１の断層画像を表示する表示手段と
を有することを特徴とする眼科撮影装置。
【請求項２】
前記撮影手段は、
光源から出射された光を測定光と参照光とに分割し、前記測定光を前記被検眼に導くとともに前記参照光を参照光学系に導いた後、前記被検眼から反射された前記測定光と前記参照光とを干渉させて干渉光を生成する干渉光学系と、
前記干渉光を検出する検出器と
を含み構成されており、
前記生成手段は、前記検出器で検出された干渉光の信号に基づき前記第２の断層画像を生成するものであり、
前記第２の断層画像のうちの前記第１の撮影サイズの範囲について、前記干渉光の信号の強度である第２の信号強度を算出する算出手段を更に有することを特徴とする請求項１に記載の眼科撮影装置。
【請求項３】
前記取得手段は、前記第１の断層画像における干渉光の信号の強度である第１の信号強度の情報を更に取得するものであり、
前記表示手段は、前記第１の信号強度および前記第２の信号強度を更に表示することを特徴とする請求項２に記載の眼科撮影装置。
【請求項４】
前記算出手段は、前記第１の断層画像の全域において干渉光の信号の強度である第１の信号強度を更に算出するものであり、
前記表示手段は、前記第１の信号強度および前記第２の信号強度を更に表示することを特徴とする請求項２に記載の眼科撮影装置。
【請求項５】
前記第１の信号強度および前記第２の信号強度に基づいて、前記測定光の光路長と前記参照光の光路長との光路長差を調整する調整部を制御する制御手段を更に有することを特徴とする請求項３または４に記載の眼科撮影装置。
【請求項６】
前記撮影手段は、前記第２の撮影サイズで前記被検眼を撮影する際に、前記第１の撮影サイズの範囲内については第１のスキャン密度でスキャンし、前記第１の撮影サイズの範囲外については第２のスキャン密度でスキャンすることを特徴とする請求項１乃至５のいずれか１項に記載の眼科撮影装置。
【請求項７】
前記表示手段に表示される前記第１の撮影サイズの範囲は、その表示位置が変更可能であることを特徴とする請求項１乃至６のいずれか１項に記載の眼科撮影装置。
【請求項８】
前記表示手段は、前記第２の断層画像における前記被検眼の重要部位の移動に伴って、前記第２の断層画像上の前記第１の撮影サイズの範囲を移動させて表示することを特徴とする請求項１乃至７のいずれか１項に記載の眼科撮影装置。
【請求項９】
過去に撮影された被検眼の第１の断層画像と、前記第１の断層画像における撮影サイズである第１の撮影サイズの情報を取得する取得ステップと、
撮影手段を用いて前記第１の撮影サイズよりも広い第２の撮影サイズで前記被検眼を撮影する撮影ステップと、
前記撮影手段による前記第２の撮影サイズでの撮影に基づいて、前記被検眼の第２の断層画像を生成する生成ステップと、
前記第２の断層画像の動画像に、前記第１の撮影サイズの範囲とともに前記第１の撮影サイズの範囲内に前記第１の断層画像を表示手段に表示する表示ステップと
を有することを特徴とする眼科撮影装置の制御方法。
【請求項１０】
過去に撮影された被検眼の第１の断層画像と、前記第１の断層画像における撮影サイズである第１の撮影サイズの情報を取得する取得ステップと、
撮影手段を用いて前記第１の撮影サイズよりも広い第２の撮影サイズで前記被検眼を撮影する撮影ステップと、
前記撮影手段による前記第２の撮影サイズでの撮影に基づいて、前記被検眼の第２の断層画像を生成する生成ステップと、
前記第２の断層画像の動画像に、前記第１の撮影サイズの範囲とともに前記第１の撮影サイズの範囲内に前記第１の断層画像を表示手段に表示する表示ステップと
をコンピュータに実行させるためのプログラム。
【発明の詳細な説明】
【技術分野】
【０００１】
本発明は、被検眼の断層画像を撮影する眼科撮影装置及びその制御方法、並びに、当該制御方法をコンピュータに実行させるためのプログラムに関するものである。
【背景技術】
【０００２】
例えば、眼科における画像診断では、従来から広く用いられてきた眼底画像に加えて、近年、断層画像を用いることにより、被検者の眼部（被検眼）における網膜層内部の状態を３次元的に観察することが可能である。したがって、断層画像を用いた診断は、疾病の診断をより的確に行うために有用であると期待されている。
【０００３】
上述した眼底画像は、例えば、眼底カメラや走査型レーザー検眼鏡（Ｓｃａｎｎｉｎｇ＿Ｌａｓｅｒ＿Ｏｐｈｔｈａｌｍｏｓｃｏｐｅ：ＳＬＯ）、ＩＲ等を用いて撮像される。また、上述した断層画像は、例えば、光干渉断層計（Ｏｐｔｉｃａｌ＿Ｃｏｈｅｒｅｎｃｅ＿Ｔｏｍｏｇｒａｐｈｙ：ＯＣＴ）等を用いて撮像される。
【０００４】
近年では、このＯＣＴを用いた被検眼の網膜層内部の状態を経過観察可能な装置が提供され、疾病の進行具合や手術後の経過観察を行うことが可能となってきている。また、撮影の高速化に伴い、撮影サイズの拡大も進んでいる。例えば、被検眼の眼底のより広い範囲で、より深くまで撮影することが可能となってきている。
【０００５】
例えば、下記の特許文献１には、経過観察の過程で、断層画像撮影装置の性能が向上し、撮影可能サイズが拡大した場合に、前回の撮影領域における重要部位及び今回の撮影可能な撮影サイズの情報から、自動的に今回の撮影領域を算出する技術が提案されている。
【先行技術文献】
【特許文献】
【０００６】
【特許文献１】特開２０１０−２５９６２９号公報
【発明の概要】
【発明が解決しようとする課題】
【０００７】
しかしながら、特許文献１に記載の技術では、被検眼の断層画像を表示する際に現在の断層画像の撮影範囲に対する過去の断層画像の撮影範囲を知ることが困難であった。
【０００８】
本発明は、このような問題点に鑑みてなされたものであり、被検眼の断層画像を表示する際に現在の断層画像の撮影範囲に対する過去の断層画像の撮影範囲を知ることが可能な仕組みを提供することを目的とする。
【課題を解決するための手段】
【０００９】
本発明の眼科撮影装置は、過去に撮影された被検眼の第１の断層画像と、前記第１の断層画像における撮影サイズである第１の撮影サイズの情報を取得する取得手段と、前記第１の撮影サイズよりも広い第２の撮影サイズで前記被検眼を撮影する撮影手段と、前記撮影手段による前記第２の撮影サイズでの撮影に基づいて、前記被検眼の第２の断層画像を生成する生成手段と、前記第２の断層画像の動画像に、前記第１の撮影サイズの範囲とともに前記第１の撮影サイズの範囲内に前記第１の断層画像を表示する表示手段とを有する。
また、本発明は、上述した眼科撮影装置の制御方法、及び、当該制御方法をコンピュータに実行させるためのプログラムを含む。
【発明の効果】
【００１０】
本発明によれば、被検眼の断層画像を表示する際に現在の断層画像の撮影範囲に対する過去の断層画像の撮影範囲を知ることが可能となる。
【図面の簡単な説明】
【００１１】
【図１】本発明の第１の実施形態に係る眼科撮影装置の概略構成の一例を示すブロック図である。
【図２】図１に示す撮影部の内部構成の一例を示す図である。
【図３】本発明の第１の実施形態を示し、図１に示す表示部に表示される表示画面の一例を示す図である。
【図４】測定光の光路長と参照光の光路長との光路長差を撮影サイズ別に示した図である。
【図５】本発明の第２の実施形態を示し、図１に示す表示部に表示される表示画面の一例を示す図である。
【図６】本発明の第３の実施形態を示し、図２に示すスキャナによるスキャン密度の決定方法の処理手順の一例を示すフローチャートである。
【発明を実施するための形態】
【００１２】
以下に、図面を参照しながら、本発明を実施するための形態（実施形態）について説明する。なお、以下に示す本発明の実施形態では、本発明に係る眼科撮影装置として、被検眼の眼底部における断層画像を撮影するＯＣＴを適用した例について説明する。また、以下に示す本発明の実施形態では、撮影対象として被検眼の眼底部を適用した例について説明するが、本発明においてはこれに限定されるものではない。本発明における撮影対象としては、断層画像の撮影対象となるものであれば適用可能であり、例えば、角膜、水晶体、虹彩等の被検眼の前眼部も適用可能である。
【００１３】
（第１の実施形態）
まず、本発明の第１の実施形態について説明する。
【００１４】
図１は、本発明の第１の実施形態に係る眼科撮影装置１００の概略構成の一例を示すブロック図である。眼科撮影装置１００は、図１に示すように、撮影部１１０、撮影制御・処理部１２０、及び、データベース１３０を有して構成されている。
【００１５】
データベース１３０は、撮影対象である被検眼の経過観察の過程で、前回撮影を含む過去に撮影された当該被検眼の断層画像（第１の断層画像）や、当該第１の断層画像における撮影サイズ（第１の撮影サイズ）の情報、当該第１の断層画像における後述の干渉光の信号強度（第１の信号強度）の情報等を記憶している。以下の説明では、過去の撮影の一態様として、前回撮影を適用した例について説明を行う。
【００１６】
撮影部１１０は、撮影制御・処理部１２０の制御に従って、前回撮影された被検眼の第１の断層画像における第１の撮影サイズよりも広い第２の撮影サイズで、当該被検眼を撮影する。ここで、撮影サイズとは、例えば画角を示している。即ち、今回撮影される断層像の画角は過去に撮影された断層画像の画角より広い。なお、過去の断層画像と今回撮影される断層画像とは異なる装置で撮影された断層画像であってもよいし、同じ装置で撮影された断層画像であってもよい。例えば、過去の断層画像はＳＤ−ＯＣＴにより撮影された断層画像であり、今回撮影される断層画像はＳＳ−ＯＣＴにより撮影される断層画像であってもよい。
【００１７】
撮影制御・処理部１２０は、眼科撮影装置１００における動作を統括的に制御するとともに、各種の処理を行う。この撮影制御・処理部１２０は、図１に示すように、制御部１２１、画像生成部１２２、信号強度算出部１２３、記録部１２４、表示部１２５、命令入力部１２６、情報取得部１２７、情報出力部１２８を有して構成されている。
【００１８】
制御部１２１は、撮影制御・処理部１２０における動作を制御する。画像生成部１２２は、制御部１２１の制御に従って、撮影部１１０による第２の撮影サイズでの撮影に基づいて、被検眼の断層画像（第２の断層画像）を生成する。信号強度算出部１２３は、画像の評価値として第２の断層画像のうちの第１の撮影サイズの範囲について、後述の干渉光の信号強度である第２の信号強度を算出する。なお、信号強度算出部１２３は、画像の評価値として第２の断層画像の全域において後述の干渉光の信号強度である第２の信号強度を算出するようにしてもよい。さらに、信号強度算出部１２３は、必要に応じて、第１の断層画像の全域において後述の干渉光の信号強度である第１の信号強度を算出する。
【００１９】
記録部１２４は、画像生成部１２２で生成された第２の断層画像や、信号強度算出部１２３で算出された信号強度の情報、更には必要に応じてデータベース１３０に記憶されている情報等を記録して保存する。表示部１２５は、制御部１２１の制御に従って、画像生成部１２２で生成された第２の断層画像とともに、第１の撮影サイズの範囲を表示する。また、表示部１２５は、制御部１２１の制御に従って、第２の断層画像とともに第１の撮影サイズの範囲を表示する際に、当該第１の撮影サイズの範囲に第１の断層画像を表示する。さらに、表示部１２５は、制御部１２１の制御に従って、第１の信号強度の情報及び第２の信号強度の情報を表示する。命令入力部１２６は、例えば検者或いは外部装置からの命令を制御部１２１に入力する。
【００２０】
情報取得部１２７は、制御部１２１の制御に従って、データベース１３０から各種の情報等を取得する。情報出力部１２８は、制御部１２１の制御に従って、データベース１３０に各種の情報等を出力する。
【００２１】
例えば、命令入力部１２６から経過観察撮影モードの起動命令が入力されると、情報取得部１２７は、制御部１２１の制御に従って、データベース１３０から、第１の撮影サイズの情報や第１の信号強度の情報を取得する。この際、情報取得部１２７は、制御部１２１の制御に従って、データベース１３０から、第１の断層画像を併せて取得するようにしてもよい。情報取得部１２７で取得された情報や画像は、制御部１２１に送られる。
【００２２】
続いて、制御部１２１は、撮影部１１０を駆動させる。これにより、撮影部１１０は、第２の撮影サイズで被検眼を撮影する。そして、制御部１２１は、撮影部１１０で得られた後述の干渉光の信号を画像生成部１２２に送り、画像生成部１２２において、プレビュー用の第２の断層画像を生成する。このプレビュー用の第２の断層画像は、経過観察用の第２の断層画像における撮影位置を決定するために表示される断層画像である。例えば、このプレビュー用の第２の断層画像としては、被検眼の眼底部全体の断層画像のうちの代表的な数枚の断層画像が、後述の測定光のスキャンスピードに応じたフレームレートで切り替え表示される。
【００２３】
また、画像生成部１２２は、信号強度算出部１２３に対して、生成した第２の断層画像のうちの第１の撮影サイズの範囲について、上述した第２の信号強度を算出させる。そして、制御部１２１は、プレビュー用の第２の断層画像とともに第１の撮影サイズの範囲、第１の信号強度の情報及び第２の信号強度の情報、更には必要に応じて第１の断層画像を、表示部１２５に表示させる。
【００２４】
その後、検者は、表示部１２５に表示された画像や情報を見て、必要に応じて、撮影部１１０による撮影条件等の調整を行う。
【００２５】
次いで、命令入力部１２６から経過観察用画像の撮影開始命令が入力されると、撮影部１１０は、制御部１２１の制御に従って、検者が意図した被検眼の撮影範囲に対して後述の測定光をスキャンする。そして、制御部１２１は、撮影部１１０で得られた後述の干渉光の信号を画像生成部１２２に送り、画像生成部１２２において、経過観察用の第２の断層画像を生成する。また、画像生成部１２２は、信号強度算出部１２３に対して、生成した第２の断層画像のうちの第１の撮影サイズの範囲について、上述した第２の信号強度を算出させる。
【００２６】
そして、制御部１２１は、経過観察用の第２の断層画像やその第２の信号強度の情報を記録部１２４に記録して保存する。そして、制御部１２１は、経過観察用の第２の断層画像とともに第１の撮影サイズの範囲、第１の信号強度の情報及び第２の信号強度の情報、更には必要に応じて第１の断層画像を、表示部１２５に表示させる。
【００２７】
その後、検者が表示部１２５に表示された画像や情報を見て、経過観察用の第２の断層画像が当該被検眼の経過観察に有効であると判断した場合には、検者は、命令入力部１２６からデータベース１３０への保存命令を入力する。これを受けて、制御部１２１は、情報出力部１２８を介して、経過観察用の第２の断層画像や、第２の撮影サイズの情報、第２の信号強度の情報等をデータベース１３０に出力し、データベース１３０において保存される。
【００２８】
ここでは、第１の信号強度の情報をデータベース１３０から取り込む例を示したが、本発明においてはこの態様に限定されるものではない。例えば、信号強度算出部１２３において、第１の断層画像を用いて第１の信号強度を算出する態様も、本発明に含まれる。
【００２９】
図２は、図１に示す撮影部１１０の内部構成の一例を示す図である。
撮影部１１０は、検出器に相当するラインセンサ２４４と、ラインセンサ２４４を除く干渉光学系とを含み構成されている。
【００３０】
干渉光学系において、光源２００は、光を出射する。光カプラ２１０は、光源２００から出射された光を測定光と参照光とに分割するとともに、各光路を辿り戻ってきた測定光と参照光とを干渉させて干渉光を生成する。この光カプラ２１０は、光ファイバ２１１を介して光源２００に接続され、光ファイバ２１２を介して測定光学系２２０に接続され、光ファイバ２１３を介して参照光学系２３０に接続され、光ファイバ２１４を介して受光光学系２４０に接続されている。
【００３１】
測定光学系２２０は、レンズ２２１及び２２２、並びに、スキャナ２２３及び２２４を有して構成されている。ここで、レンズ２２２は、フォーカスレンズであり、不図示の駆動機構によって移動可能に構成されている。
【００３２】
参照光学系２３０は、レンズ２３１、分散補償ガラス２３２、並びに、参照ミラー２３３を有して構成されている。ここで、参照ミラー２３３は、不図示の駆動機構によって、参照光の光路長を変化させるように移動可能に構成されている。
【００３３】
受光光学系２４０は、レンズ２４１及び２４３、回折格子２４２、並びに、ラインセンサ２４４を有して構成されている。
【００３４】
命令入力部１２６から経過観察撮影モードの起動命令が入力されると、撮影部１１０は、制御部１２１の制御に従って、光源２００から光を出射する。光源２００から出射された光は、光ファイバ２１１を通って光カプラ２１０へ導かれ、ここで測定光と参照光とに分割される。
【００３５】
光カプラ２１０からの測定光は、光ファイバ２１２を通って測定光学系２２０に導かれる。そして、測定光学系２２０に導かれた測定光は、レンズ２２１及び２２２、並びに、スキャナ２２３及び２２４を通って、被検眼Ｅの眼底部に照射される。このとき、スキャナ２２３及び２２４は、被検眼Ｅの眼底部全体の断層画像のうちの代表的な数枚の断層画像を生成するように駆動する。そして、被検眼Ｅの眼底部で反射した測定光は、被検眼Ｅに入射した時と逆の光路を辿って光カプラ２１０へ戻る。
【００３６】
一方、光カプラ２１０からの参照光は、光ファイバ２１３を通って参照光学系２３０に導かれる。参照光学系２３０に導かれた参照光は、レンズ２３１及び分散補償ガラス２３２を通って参照ミラー２３３で反射される。そして、参照ミラー２３３で反射した参照光は、参照ミラー２３３に入射した時と逆の光路を辿って光カプラ２１０へ戻る。
【００３７】
光カプラ２１０に戻ってきた測定光及び参照光は、互いに干渉しながら合波されて干渉光となる。そして、光カプラ２１０からの干渉光は、受光光学系２４０に導かれる。受光光学系２４０に導かれた干渉光は、レンズ２４１を介して略平行光となった後、回折格子２４２で分光され、レンズ２４３によってラインセンサ２４４に結像される。ラインセンサ２４４は、入射した干渉光を電気信号（干渉光の信号）として検出する。このラインセンサ２４４で検出された干渉光の信号は、制御部１２１を介して、画像生成部１２２に出力される。そして、画像生成部１２２は、ラインセンサ２４４から出力された干渉光の信号に基づき第２の断層画像（ここでは、プレビュー用の第２の断層画像）を生成する。
【００３８】
次いで、命令入力部１２６から経過観察用画像の撮影開始命令が入力されると、測定光学系２２０内において、スキャナ２２３及び２２４は、制御部１２１の制御に従って、検者が意図した被検眼Ｅの撮影範囲に対して測定光をスキャンする。この経過観察用画像の撮影開始命令に係る光源２００からラインセンサ２４４までの光の経路は、上述した経過観察撮影モードの起動命令がなされた場合の光の経路と同様である。そして、画像生成部１２２は、ラインセンサ２４４から出力された干渉光の信号に基づき第２の断層画像（ここでは、経過観察用の第２の断層画像）を生成する。
【００３９】
測定光の光路長と参照光の光路長との光路長差の調整は、制御部１２１による参照ミラー２３３の駆動制御によって行われるが、本実施形態においてはこの態様に限定されるものではない。例えば、測定光の光路長と参照光の光路長との光路長差の調整は、制御部１２１によるレンズ２２２の駆動制御によって被検眼Ｅに対する距離を変化させることによっても実現可能である。この測定光の光路長と参照光の光路長との光路長差を調整する参照ミラー２３３またはレンズ２２２は、本発明における調整部を構成する。そして、制御部１２１は、上述した第１の信号強度及び第２の信号強度に基づいて、この調整部（参照ミラー２３３またはレンズ２２２）の駆動を制御する。
【００４０】
また、受光光学系２４０は、回折格子２４２を有する分光器であり、例えば、ＳＤ−ＯＣＴ（Ｓｐｅｃｔｒａｌ＿Ｄｏｍａｉｎ＿ＯＣＴ）方式の干渉光学系である。しかしながら、本実施形態では、光源２００として高速波長掃引光源を用いることで、単一チャネル光検出器でスペクトル干渉を計測するＳＳ−ＯＣＴ（Ｓｗｅｐｔ＿Ｓｏｕｒｃｅ＿ＯＣＴ）方式等、他の方式を採用したＯＣＴも適用可能である。
【００４１】
図３は、本発明の第１の実施形態を示し、図１に示す表示部１２５に表示される表示画面の一例を示す図である。この図３に示す表示画面３００には、第２の断層画像３０１とともに、第１の断層画像３０５における第１の撮影サイズの範囲３０６が表示されている。ここで、例えば、第２の断層画像３０１としては動画像が表示される。また、図３に示す例では、第１の撮影サイズの範囲３０６は、第１の撮影サイズを示す２本の線３０２ａ及び３０２ｂで画定された範囲となっている。即ち、図３に示す例では、第１の撮影サイズの範囲３０６は、第１の断層画像３０５の横方向の撮影サイズの範囲を示したものとなっている。この点、図３に示す例では、第１の撮影サイズの範囲３０６は、第１の断層画像３０５の縦方向の撮影サイズの範囲については特に定めておらず任意となっている。
【００４２】
図３に示す例では、第２の断層画像３０１と重畳するようにして第１の撮影サイズの範囲３０６が表示されている。さらに、図３に示す例では、上述した第２の信号強度に相当する今回信号強度３０３が併記で表示されている。また、図３に示す例では、上述した第１の信号強度に相当する前回信号強度３０４が同時に表示されている。また、図３に示す例では、例えば、第１の断層画像３０５が第１の撮影サイズの範囲３０６に表示されている。この際、第１の断層画像３０５は、例えば、第２の断層画像３０１上に半透明で表示するようにしてもよい。
【００４３】
図４は、測定光の光路長と参照光の光路長との光路長差を撮影サイズ別に示した図である。ここで、図４（ａ）には、撮影サイズが狭い第１の撮影サイズによる第１の断層画像と、光路長差ｄ１が示されている。また、図４（ｂ）には、撮影サイズが広い第２の撮影サイズによる第２の断層画像と、光路長差ｄ２が示されている。
【００４４】
図３において、第１の撮影サイズの範囲３０６（更には今回信号強度３０３）が表示されていない場合、図４に示すように、検者は今回撮影で全体を撮影しようとするために、重要部位（または特徴部位）Ａにおける測定光と参照光との光路長差ｄ２を、前回撮影時の光路長差ｄ１に対して大きく取ってしまう可能性がある。この場合、上述したように、被検眼の重要部位Ａにおける断層画像の信号強度が弱くなり、結果として、今回撮影により得られる第２の断層画像が、被検眼Ｅの重要部位Ａが暗く不鮮明な画像となってしまう懸念が生じる。
【００４５】
しかしながら、図３に示す表示画面３００の表示に基づけば、検者は、今回信号強度３０３を基準以上にしつつ、第１の撮影サイズの範囲３０６内において断層画像の折り返しの発生しない条件で、測定光と参照光の光路長差ｄ２を調整することが可能となる。即ち、図４に示す被検眼Ｅの重要部位Ａを明るく鮮明にするために、光路長差ｄ２を短くする調整を行うことが可能である。これにより、被検眼Ｅの経過観察の過程で断層画像の撮影サイズが拡大した場合においても、経過観察に耐えうる適切な信号強度の断層画像を取得することが可能となる。
【００４６】
また、図３に示すように、前回信号強度３０４が同時に表示されている場合には、例えば、今回信号強度３０３の基準を前回信号強度３０４とすることができる。また、図３に示すように、第１の断層画像３０５が表示されている場合には、経過観察用の第２の断層画像の撮影位置を合わせる基準として用いることができる。さらに、図３に示す例では、第２の断層画像３０１における被検眼の重要部位（図４（ｂ）のＡ）と、第１の断層画像３０５における被検眼の重要部位（図４（ａ）のＡ）とを、マッチングさせて（相関をとって）、２本の線３０２ａ及び３０２ｂで画定される第１の撮影サイズの範囲３０６、及び、第１の断層画像３０５を表示するようにしている。例えば、制御部１２１は、相関が最も高くなる位置を計算し、計算された位置に第１の撮影サイズの範囲３０６、及び、第１の断層画像３０５を表示させる。ここで、重要部位は例えば黄斑（中心窩）である。
なお、制御部１２１は重要部位に限らず画像全体で相関を計算することとしてもよい。このように、第２の断層画像３０１に第１の撮影サイズの範囲３０６及び第１の断層画像３０５をマッチングさせることにより、第２の断層画像が動画像である場合、第２の断層画像３０１における被検眼の重要部位の移動に伴って第１の撮影サイズの範囲３０６及び第１の断層画像３０５を追従により移動させて表示することができる。これにより、第２の断層画像３０１における表示領域の中央に単純に第１の撮影サイズの範囲３０６及び第１の断層画像３０５を表示する場合と比較して、検者にとって適切な位置に第１の撮影サイズの範囲３０６及び第１の断層画像３０５を表示することができる。第１の断層画像３０５に対応して過去に撮影された眼底画像と今回撮影された眼底画像の動画とを比較することにより第１の断層画像３０５の撮影範囲と第２の断層画像３０１の撮影範囲とを比較してもよい。撮影された眼底画像に断層画像の撮影位置が対応付けられている場合には眼底画像同士の比較により断層画像の撮影位置の対応を把握することが可能である。なお、第１の断層画像３０５に対応して過去に撮影された眼底画像と今回撮影された眼底画像の動画とを一度比較した後には、今回撮影された眼底画像の動画を比較することで眼の動きを検出し、その動き量に基づいて第１の撮影サイズの範囲３０６、及び、第１の断層画像３０５の表示位置を変更することとしてもよい。
なお、第１の撮影サイズの範囲３０６、及び、第１の断層画像３０５の表示位置は固定であってもよい。例えば、制御部１２１は第２の断層画像３０１の表示範囲の水平方向における中心が第１の撮影サイズの範囲３０６の水平方向における中心と一致するように第１の撮影サイズの範囲３０６の表示位置を固定することとしてもよい。第１の断層画像３０５についても同様に、第２の断層画像３０１の表示範囲の水平方向における中心が第１の断層画像３０５の水平方向における中心と一致するように第１の断層画像３０５の表示位置を固定することとしてもよい。
また、第１の撮影サイズの範囲３０６、及び、第１の断層画像３０５の表示・非表示を切り替え可能にすることとしてもよい。例えば、制御部１２１は、マウス等の操作手段を介して取得した操作者の指示に応じて第１の撮影サイズの範囲３０６、及び、第１の断層画像３０５の表示・非表示を切り替えることとしてもよい。例えば、信号強度算出部１２３は、第１の撮影サイズの範囲３０６等が非表示の場合には第２の断層画像の全域において信号強度を算出し、第１の撮影サイズの範囲３０６等が表示される場合には第２の断層画像の第１の撮影サイズの範囲３０６における信号強度を算出する。
【００４７】
なお、測定光の光路長と参照光の光路長との光路長差の調整は、検者によるマニュアル操作によりなされても、或いは、制御部１２１で予め設定された信号強度の基準値となるように自動調整によりなされてもよい。
【００４８】
本実施形態に係る眼科撮影装置１００では、情報取得部１２７において、過去に撮影された被検眼Ｅの第１の断層画像における第１の撮影サイズの情報を取得するようにしている。また、撮影部１１０において、第１の撮影サイズよりも広い第２の撮影サイズで被検眼Ｅを撮影し、画像生成部１２２において、撮影部１１０による第２の撮影サイズでの撮影に基づいて被検眼Ｅの第２の断層画像を生成するようにしている。そして、表示部１２５において、第２の断層画像とともに第１の撮影サイズの範囲（更には、第１の断層画像、並びに、第１の信号強度及び第２の信号強度）を表示するようにしている。
かかる構成によれば、被検眼の断層画像を表示する際に現在の断層画像の撮影範囲に対する過去の断層画像の撮影範囲を知ることが可能となる。さらに、検者に測定光と参照光の光路長差を適切に調整するための指標を提示することができる。これにより、例えば被検眼の経過観察の過程で眼科撮影装置の性能が向上して断層画像の撮影サイズが拡大した場合にも、適切な信号強度の断層画像を取得することができ、被検眼の重要部位が明るく鮮明な断層画像を撮影することが可能となる。
【００４９】
（第２の実施形態）
次に、本発明の第２の実施形態について説明する。なお、以下の第２の実施形態の説明においては、上述した第１の実施形態と異なる部分について説明を行う。
【００５０】
第２の実施形態では、図３に示す第１の撮影サイズの範囲３０６の表示位置を変更可能とする形態である。被検眼Ｅが患眼であり、十分な視力を有しない場合、固視が安定しないため、被検眼Ｅの重要部位Ａが必ずしも、第２の断層画像３０１の中央部にこない場合がある。
【００５１】
図５は、本発明の第２の実施形態を示し、図１に示す表示部１２５に表示される表示画面の一例を示す図である。図５において、図３に示す構成と同様の構成については同じ符号を付している。
【００５２】
この図５に示す表示画面５００では、被検眼Ｅの重要部位Ａが、第２の断層画像３０１内の隅の方に表示された場合を示している。図５に示す表示画面５００では、被検眼Ｅの重要部位Ａが第２の断層画像３０１内の右隅の方にあるため、第１の撮影サイズの範囲３０６も右隅の位置に表示されている。
【００５３】
この場合、例えば、検者は、第１の断層画像３０５を参考にしながら、被検眼Ｅの重要部位Ａが同じ位置にくるように第１の撮影サイズの範囲３０６の表示位置を移動させることができる。今回信号強度３０３は、第２の断層画像３０１のうち、位置変更後の第１の撮影サイズの範囲３０６について算出される。第１の撮影サイズの範囲３０６における表示位置の移動は、表示部１２５内においてカーソルを用いてドラッグ・アンド・ドロップで移動させる等のインターフェースが考えられる。
【００５４】
第２の実施形態によれば、上述した第１の実施形態における効果に加えて、以下の効果を更に奏する。即ち、被検眼Ｅが固視の安定しない患眼においても、被検眼の断層画像を表示する際に現在の断層画像の撮影範囲に対する過去の断層画像の撮影範囲を知ることが可能となる。さらに、経過観察の過程で断層画像の撮影サイズが拡大した場合に、適切な信号強度の断層画像を取得することができ、被検眼の重要部位が明るく鮮明な断層画像を撮影することが可能となる。
【００５５】
なお、図３に示す第１の実施形態における表示画面３００や図５に示す第２の実施形態における表示画面５００では、第２の断層画像３０１に第１の撮影サイズの範囲３０６及び第１の断層画像３０５をマッチングさせて表示を行う形態について説明を行った。しかしながら、本発明においてはこの形態に限定されるものではなく、例えば、以下の形態も、本発明に適用可能である。
例えば、第２の断層画像３０１の撮影サイズがＸ、第１の断層画像３０５の撮影サイズがＹである場合、第２の断層画像３０１の表示範囲（横方向）に対してＹ／Ｘを乗じた範囲を示す線（３０２ａ及び３０２ｂ）を、第２の断層画像３０１の表示範囲の中心に対して対称な位置に表示させるようにした形態も、本発明に適用可能である。
さらに、断層画像を撮影する際に眼底画像上で断層画像の撮影位置を指定する場合に、第１の断層画像３０５及び第２の断層画像３０１における眼底画像上での撮影位置を比較することにより、２本の線３０２ａ及び３０２ｂで画定される第１の撮影サイズの範囲３０６を自動で適切な位置に表示させるようにした形態も、本発明に適用可能である。具体的に、例えば、眼底画像同士を位置合わせした際の各断層画像の撮像位置の重なりを見る等をすることにより、第１の撮影サイズの範囲３０６を自動で適切な位置に表示させる。
【００５６】
（第３の実施形態）
次に、本発明の第３の実施形態について説明する。
【００５７】
上述した第１及び第２の実施形態は、第２の断層画像を撮影する際に、今回撮影で撮影可能な第２の撮影サイズの全域において一様なスキャン密度で撮影を行う場合を想定したものであった。
【００５８】
しかしながら、例えば図３に示すプレビュー用の第２の断層画像３０１を見た段階で、第１の撮影サイズの範囲３０６の範囲外における断層画像が不要等と検者によって判断される可能性もある。そこで、第３の実施形態では、第１の撮影サイズの範囲３０６の範囲内か範囲外かによって、スキャナ２２３及び２２４によるスキャン密度を変化させる形態である。
【００５９】
図６は、本発明の第３の実施形態を示し、図２に示すスキャナ２２３及び２２４によるスキャン密度の決定方法の処理手順の一例を示すフローチャートである。
【００６０】
検者が例えば図３に示すプレビュー用の第２の断層画像３０１を見て第１の撮影サイズの範囲３０６の外部に気になる病変部があるか否かを判定し、検定結果を命令入力部１２６から入力すると、ステップＳ１０１において、制御部１２１はこれを検知する。そして、制御部１２１は、第１の撮影サイズの範囲３０６の外部（範囲外）に病変部があるか否かを判断する。
【００６１】
ステップＳ１０１の判断の結果、第１の撮影サイズの範囲３０６の外部に病変部がない場合には（Ｓ１０１／Ｎｏ）、ステップＳ１０２に進む。
ステップＳ１０２に進むと、制御部１２１は、第１の撮影サイズの範囲３０６の外部（範囲外）でのスキャン不要と判定する。なお、本実施形態においては、この態様に限定されるものではない。例えば、第１の撮影サイズの範囲３０６の範囲外におけるスキャン密度を、第１の撮影サイズの範囲３０６の範囲内におけるスキャン密度よりも小さくして、経過観察用の第２の断層画像を撮影するようにした態様も適用可能である。ステップＳ１０２の処理が終了すると、図６のフローチャートにおける処理を終了する。
【００６２】
一方、ステップＳ１０１の判断の結果、第１の撮影サイズの範囲３０６の外部に病変部がある場合には（Ｓ１０１／Ｙｅｓ）、ステップＳ１０３に進む。
その後、検者が例えば図３に示すプレビュー用の第２の断層画像３０１を見て第１の撮影サイズの範囲３０６の内部（範囲内）におけるスキャン密度が十分であるか否かを判定し、検定結果を命令入力部１２６から入力すると、ステップＳ１０３において、制御部１２１はこれを検知する。そして、制御部１２１は、第１の撮影サイズの範囲３０６の内部（範囲内）におけるスキャン密度が十分であるか否かを判断する。
【００６３】
ステップＳ１０３の判断の結果、第１の撮影サイズの範囲３０６の内部（範囲内）におけるスキャン密度が十分でない場合には（Ｓ１０３／Ｎｏ）、ステップＳ１０４に進む。
ステップＳ１０４に進むと、制御部１２１は、第１の撮影サイズの範囲３０６の内部（範囲内）におけるスキャン密度が十分得られるようにスキャン密度を上げて、第１の撮影サイズの範囲３０６の範囲内外におけるスキャン密度を調整する制御を行う。例えば、制御部１２１は、第１の撮影サイズの範囲３０６の範囲内については第１のスキャン密度でスキャンし、第１の撮影サイズの範囲３０６の範囲外については第２のスキャン密度でスキャンする制御を行って、経過観察用の第２の断層画像を撮影する。ステップＳ１０４の処理が終了すると、図６のフローチャートにおける処理を終了する。
【００６４】
一方、ステップＳ１０３の判断の結果、第１の撮影サイズの範囲３０６の内部（範囲内）におけるスキャン密度が十分である場合には（Ｓ１０３／Ｙｅｓ）、ステップＳ１０５に進む。
ステップＳ１０５に進むと、制御部１２１は、第２の撮影サイズの全域を一様なスキャン密度とする制御を行って、経過観察用の第２の断層画像を撮影する。ステップＳ１０５の処理が終了すると、図６のフローチャートにおける処理を終了する。
【００６５】
なお、図６に示すフローチャートの処理は飽くまでも一例であり、第１の撮影サイズの範囲３０６の外部に病変部がない場合でも（Ｓ１０１／Ｎｏ）、その内部のスキャン密度が十分であれば第２の撮影サイズの全域を同じスキャン密度にする等、他の処理を適用することも可能である。
【００６６】
第３の実施形態によれば、上述した第１の実施形態における効果に加えて、以下の効果を更に奏する。即ち、経過観察対象となる第１の撮影サイズの範囲３０６における外部に新たに病変部が発見された場合等の状況に応じて、適切なスキャン密度で断層画像を取得することができる。例えば、不要な領域のスキャン密度を０とすることで、撮影時間を短縮することも可能である。
【００６７】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
このプログラム及び当該プログラムを記憶したコンピュータ読み取り可能な記憶媒体は、本発明に含まれる。
【００６８】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、または、その主要な特徴から逸脱することなく、様々な形で実施することができる。
【符号の説明】
【００６９】
１００  眼科撮影装置、１１０  撮影部、１２０  撮影制御・処理部、１２１  制御部、１２２  画像生成部、１２３  信号強度算出部、１２４  記録部、１２５  表示部、１２６  命令入力部、１２７  情報取得部、１２８  情報出力部、１３０  データベース
【図１】
0006632285.tif 000002
【図２】
0006632285.tif 000003
【図３】
0006632285.tif 000004
【図４】
0006632285.tif 000005
【図５】
0006632285.tif 000006
【図６】
0006632285.tif 000007